(57)【特許請求の範囲】
【請求項１】
室内の壁面高所に据付けられた本体の前面を被覆する吸込グリルの上部を水平軸まわりに回動自在に上記本体に枢支するとともに上記吸込グリルにエアフィルタを上下方向に摺動自在に支持し、このエアフィルタの背面に固定されて上下方向に伸びるラックと噛合する半月形のギヤの水平に伸びる偏心駆動軸を正逆転可能に上記本体の下部に軸支したことを特徴とする空気調和機の室内ユニット。
【請求項２】
上記吸込グリルの下端にピンを設けるとともに上記半月形のギヤに上記エアフィルタの上行程端で上記ピンと係合する引掛部と、上記エアフィルタの下行程端で上記ピンと係合するストッパを設けたことを特徴とする請求項１記載の空気調和機の室内ユニット。
【請求項３】
上記吸込グリルを上記本体から取外し自在としたことを特徴とする請求項１又は２記載の空気調和機の室内ユニット。
【発明の詳細な説明】
【０００１】
【発明の属する技術分野】
本発明は空気調和機の壁掛型室内ユニットに関する。
【０００２】
【従来の技術】
従来のこの種空気調和機の室内ユニットの１例が図３に示されている。
室内ユニットの本体30は室内の壁面高所に据付けられ、この本体30の前面を被覆する前面カバー31は本体30に着脱自在に取り付けられている。
本体30の内部にはエアフィルタ33、熱交換器34、フアン35等が配設されている。
【０００３】
空気調和機の運転時、図示しない室外ユニットからの冷媒が熱交換器34に循環し、フアン35が回転する。
すると、室内空気が前面カバー31に形成された吸込グリル32を経て本体30内に吸込まれ、エアフィルタ33を流過する過程で室内空気中の塵埃が捕捉される。
【０００４】
次いで、熱交換器34を流過する過程で冷媒と熱交換することによって冷却又は加熱された後、フアン35により付勢されて吹出口36から室内に吹き出される。
【０００５】
エアフィルタ33が多量の塵埃を捕捉することによって目詰まりした場合には、エアフィルタ33の背面両側に設けたラック37と噛合する円形ギヤ38が駆動されて矢印方向に回転するので、エアフィルタ33はガイド39に案内されて本体30内から斜め前方に降下して露出する。
【０００６】
この状態で、エアフィルタ33を清掃し、清掃が終了した後、円形ギヤ38を逆転させれば、エアフィルタ33は上昇して図示の状態に戻る。
【０００７】
【発明が解決しようとする課題】
上記従来の室内ユニットにおいては、エアフィルタ33の清掃は容易になるが、吸込グリル32を清掃するためには前面カバー31を本体30から取り外さなければならないという問題があった。
【０００８】
【課題を解決するための手段】
本発明は上記課題を解決するために発明されたものであって、その要旨とするところは、室内の壁面高所に据付けられた本体の前面を被覆する吸込グリルの上部を水平軸まわりに回動自在に上記本体に枢支するとともに上記吸込グリルにエアフィルタを上下方向に摺動自在に支持し、このエアフィルタの背面に固定されて上下方向に伸びるラックと噛合する半月形のギヤの水平に伸びる偏心駆動軸を正逆転可能に上記本体の下部に軸支したことを特徴とする空気調和機の室内ユニットにある。
【０００９】
他の特徴とするところは、上記吸込グリルの下端にピンを設けるとともに上記半月形のギヤに上記エアフィルタの上行程端で上記ピンと係合する引掛部と、上記エアフィルタの下行程端で上記ピンと係合するストッパを設けたことにある。
【００１０】
他の特徴とするところは、上記吸込グリルを上記本体から取外し自在としたことにある。
【００１１】
【発明の実施の形態】
本発明の実施形態が図１及び図２に示され、図１はエアフィルタを格納した状態の室内ユニットを互いに異なる複数の断面で破断した縦断面図、図２はエアフィルタを引き出した状態の室内ユニットを互いに異なる複数の断面で破断した縦断面図である。
【００１２】
室内ユニットの本体１にはその前面を被覆する吸込グリル２の上端が水平に伸びるピン19まわりに回動可能に枢支されている。
吸込グリル２にはエアフィルタ３が図示しないガイドを介して上下方向に摺動自在に支持されている。
【００１３】
本体１の内部には熱交換器４及びフアン15が配設され、熱交換器４の下方にはドレンパン14が配設されている。
本体１の前面下部には吹出口５が形成され、この吹出口５にはルーバ６及びフラップ７が配設されている。
【００１４】
エアフィルタ３の背面両側には上下方向に伸びる複数のラック13が設けられ、これらラック13に噛合する歯10を具備する半月形のギヤ８は偏心駆動軸９に固定され、この偏心駆動軸９は本体１の下部に正逆転可能に水平に軸支されている。
【００１５】
空気調和機の運転時には、吸込グリル２及びエアフィルタ３は図１に示す位置を占め、ギヤ８に形成された引掛部11は吸込グリル２の下端に設けたピン18と係合している。
そして、フアン15が駆動され、熱交換器４には図示しない室外ユニットからの冷媒が循環する。
【００１６】
すると、室内空気が吸込グリル２を通り、エアフィルタ３を流過する過程で室内空気中の塵埃が捕捉され、次いで、熱交換器４を流過する過程で冷媒と熱交換することによって冷却又は加熱される。
【００１７】
この空気はフアン15によって付勢されて吹出口５からルーバ６及びフラップ７に案内されて室内に吹き出される。
【００１８】
エアフィルタ３が塵埃を捕捉することによって目詰まりした場合には、偏心駆動軸９が正転し、半月形のギヤ８は矢印方向に回転する。
【００１９】
すると、ギヤ８の歯10によってラック13が駆動され、ギヤ８の正転に伴って図２に示すように、エアフィルタ３が次第に斜め下方に降下すると同時に吸込グリル２がピン19まわりに回転することによりその下方が開く。
【００２０】
エアフィルタ３が図２に示す下行程端に到達したとき、ピン18がストッパ12に係合し、ギヤ８の回転が停止するので、エアフィルタ３を取り出して清掃する。
そして、必要あれば、ピン19を外すことにより吸込グリル２を本体１から取り外して清掃する。
【００２１】
エアフィルタ３の清掃が終了した後、エアフィルタ３を吸込グリル２にセットしてギヤ８の歯10とラック13とを噛み合わせた後、偏心駆動軸９を図２に矢印で示す方向に逆回転させると、エアフィルタ３は次第に上昇し、これに伴って吸込グリル２もピン19まわりに反時計方向に回転する。
【００２２】
そして、エアフィルタ３が図１に示す上行程端に到達し、引掛部11がピン18に係止されると、ギヤ８の回転が停止し、吸込グリル２及びエアフィルタ３は本体１に固定される。
【００２３】
【発明の効果】
本発明においては、吸込グリルの上部を水平軸まわりに回動自在に本体に枢支するとともに吸込グリルにエアフィルタを上下方向に摺動自在に支持し、このエアフィルタの背面に固定されて上下方向に伸びるラックと噛合する半月形のギヤの水平に伸びる偏心駆動軸を正逆転可能に本体の下部に軸支したため、偏心駆動軸を正転させることによって吸込グリルが水平軸まわりに回動してその下部が開くと同時にエアフィルタが斜め前方に降下して露出するので、エアフィルタを容易に清掃することができる。
【００２４】
また、偏心駆動軸を逆転させることによって吸込グリルが水平軸まわりに回動して本体の前面を被覆すると同時にエアフィルタが上昇して吸込グリルに格納される。
【００２５】
吸込グリルの下端にピンを設けるとともに半月形のギヤにエアフィルタの上行程端でピンと係合する引掛部と、エアフィルタの下行程端で上記ピンと係合するストッパを設ければ、エアフィルタの上行程端で引掛部がピンに係合して吸込グリルの下端を引き寄せて本体に固定することができ、また、エアフィルタの下行程端でピンがストッパに係合することによってエアフィルタの下降を制止することができる。
【００２６】
吸込グリルを本体から取り外し自在とすれば、吸込グリルを本体から取り外して容易に清掃できる。
【図面の簡単な説明】
【図１】本発明の実施形態に係る空気調和機の室内ユニットを互いに異なる複数の断面で破断した縦断面図で、エアフィルタを格納した状態を示す。
【図２】上記室内ユニットのエアフィルタを引出した状態を示す上記と同様の縦断面図である。
【図３】従来の空気調和機の室内ユニットの縦断面図である。
【符号の説明】
１  本体
２  吸込グリル
19  水平軸
３  エアフィルタ
13  ラック
８  半月形ギア
10  歯
９  偏心駆動軸
11  引掛部
12  ストッパ
18  ピン
【図１】
0003935633.tif 000002
【図２】
0003935633.tif 000003
【図３】
0003935633.tif 000004